【事件の表示】
　特許第３２９０１９０号「画像記録装置」の請求項１ないし４、６ないし１３に係る特許に対する特許異議の申立てについて、次のとおり決定する。
【結　論】
　訂正を認める。
　特許第３２９０１９０号の請求項１、２、６ないし１０に係る特許を取り消す。
　同請求項３、４、１１に係る特許を維持する。
【理　由】
１　手続の経緯
　本件特許第３２９０１９０号に係る出願は、平成３年３月２７日に出願されたものであって、平成１４年３月２２日に特許の設定登録がされ、その後その特許請求の範囲における請求項１〜４及び６〜１３に係る発明について、異議申立人大木茂により特許異議の申立てがなされ、平成１５年４月３０日付けで取消理由通知がなされ、その指定期間内である平成１５年７月１４日に訂正請求がなされたものである。
２　訂正の適否
(1)訂正の内容
　ａ 訂正事項１
　特許請求の範囲の請求項１を、特許請求の範囲の減縮を目的として、
「【請求項１】　画像信号源である少なくともホストコンピュータからの入力画像信号に対して色補正処理を施し、画像記録材料に画像を記録するための画像記録信号を得る画像記録装置において、
　前記入力画像信号を前記画像記録装置に接続された画像出力装置に適した画像信号に規格化する、各色独立のルックアップテーブルと線形マトリックス演算回路とを有した第１色補正手段と、前記第１色補正手段の出力画像信号を入力とする第２色補正手段と、前記第２色補正手段の出力画像信号を入力とする第３色補正手段とを備え、
　少なくとも、前記第１色補正手段及び前記第３色補正手段に対して、該色補正手段の色補正量を調整するための調整情報入力手段と、該調整情報入力手段により入力された調整情報により前記色補正手段の色補正量を調整する調整手段とを備え、
　前記第１色補正手段に対する調整手段は前記画像記録材料の色材とは異なる色相を基準とした調整手段であり、前記第３色補正手段に対する調整手段は前記画像記録材料と同一色相を基準とした調整手段であり、
　前記第３色補正手段は各色独立のルックアップテーブルを有し、当該ルックアップテーブルは、前記第２色補正手段からの出力画像信号を、キャリブレーションを実施するのに適した領域に変換するルックアップテーブルと、キャリブレーション用ルックアップテーブルとを含み、　
　前記第３色補正手段に対する調整手段は、前記画像記録材料と同一色相を基準とした前記キャリブレーション用ルックアップテーブルにて調整を実施するものであることを特徴とする画像記録装置。」
と訂正する。
　ｂ 訂正事項２
　特許請求の範囲の請求項６を、明りょうでない記載の釈明を目的として、
「【請求項６】　請求項１に記載の画像記録装置であって、前記第１色補正手段に対する調整手段及び調整情報入力手段は少なくとも色相調整機能、彩度調整機能を有することを特徴とする画像記録装置。」
と訂正する。
　ｃ 訂正事項３
　特許請求の範囲の請求項７を、明りょうでない記載の釈明を目的として、
「【請求項７】　請求項１に記載の画像記録装置であって、前記第１色補正手段に対する調整手段及び調整情報入力手段は少なくともあらかじめ記憶された前記ルックアップテーブルの選択機能を有することを特徴とする画像記録装置。」
と訂正する。
　ｄ 訂正事項４
　特許請求の範囲の請求項８を、明りょうでない記載の釈明を目的として、
「【請求項８】　請求項６または７に記載の画像記録装置であって、前記調整情報入力手段が前記画像記録装置のオペレーションパネル及び前記ホストコンピュータ等の画像信号源であり、該オペレーションパネル及び前記画像信号源は同一の調整情報を入力可能であることを特徴とする画像記録装置。」
と訂正する。
　ｅ　訂正事項５
　特許請求の範囲の請求項９を、明りょうでない記載の釈明を目的として、
「【請求項９】　請求項６または７に記載の画像記録装置であって、前記調整情報入力手段が前記画像記録装置のオペレーションパネル及び前記ホストコンピュータ等の画像信号源であり、前記調整情報が前記オペレーションパネル及び前記画像信号源から供給される情報を加算したものであることを特徴とする画像記録装置。」
と訂正する。
　ｆ　訂正事項６
　特許請求の範囲の請求項１０を、明りょうでない記載の釈明を目的として、
「【請求項１０】　請求項１に記載の画像記録装置であって、前記各色独立のルックアップテーブルのデータが前記画像信号源からダウンロードされたものであることを特徴とする画像記録装置。」
と訂正する。
　ｇ　訂正事項７
　特許請求の範囲の請求項１１を、特許請求の範囲の減縮を目的として、
「【請求項１１】　請求項１記載の画像記録装置であって、
　前記第１及び第３色補正手段の有するルックアップテーブルは前記画像信号源からの入力画像信号を入力とするＲＡＭで構成されたものであり、前記第２色補正手段は前記画像信号原からの入力画像信号を入力とするＲＡＭで構成されたルックアップテーブルを有するものであり、電源遮断時にも有効なバックアップされた前記ルックアップテーブル調整用の調整パラメータ記憶手段を備え、
　前記ルックアップテーブルの計算は電源投入時及び調整情報変更時にのみ前記調整パラメータを用いて行うことを特徴とする画像記録装置。」
と訂正する。
　ｈ　訂正事項８
　特許請求の範囲の請求項１４〜１７の項番を、明りょうでない記載の釈明を目的として、２つずつ繰り上げて、請求項１２〜１５に訂正する。
　ｉ　訂正事項９
　発明の詳細な説明の記載を、明りょうでない記載の釈明を目的として訂正する（訂正内容省略）
(2)訂正の目的の適否、新規事項の有無、及び特許請求の範囲の拡張、変更の存否
　上記訂正事項１、７は、特許請求の範囲の減縮を目的とした明細書の訂正に該当し、
　訂正事項２、３は、請求項６の削除に伴い請求項の項数を繰り上げるものであり、明りょうでない記載の釈明を目的とした明細書の訂正に該当し、
　訂正事項４、５は、請求項９の削除に伴い請求項の項数、及び引用する項数を繰り上げるものであり、明りょうでない記載の釈明を目的とした明細書の訂正に該当し、
　訂正事項６は、請求項１０及び１１の項数の繰り上げに伴う、請求項１２の項数の繰り上げであり、明りょうでない記載の釈明を目的とした明細書の訂正に該当し、
　訂正事項７は、請求項１０〜１２の項数の繰り上げに伴い請求項１３の項数の繰り上げるとともに、請求項１を引用して、その内容を減縮したものであり、明りょうでない記載の釈明、及び特許請求の範囲の減縮を目的とした明細書の訂正に該当し、
　訂正事項８は、上記訂正事項１〜８の訂正に伴い、特許請求の範囲と発明の詳細な説明の整合を図るためのものであり、明りょうでない記載の釈明を目的とした明細書の訂正に該当し、
　いずれも、新規事項の追加に該当せず、実質上特許請求の範囲を拡張し、又は変更するものではない。
(3)むすび
　したがって、上記訂正は、特許法第１２０条の４第２項、及び第３項で準用する同第１２６条第２、３項の規定に適合するので、当該訂正を認める。
３　特許異議の申立てについての判断
(1)　申立て理由の概要 
　特許異議申立人大木茂は、証拠として甲第１号証（特開平１−１０３４４５号公報、平成１年４月２０日出願公開）、甲第２号証（米国特許第４５００９１９号公報）、甲第３号証（特開平２−２２６８６８号公報、平成２年９月１０日出願公開）、甲第４号証（特開昭６３−１１６８５５号公報、昭和６３年５月２１日出願公開）、及び甲第５号証（特開平２−２９６２６５号公報、平成２年１２月６日出願公開）を提出し、本件請求項１〜４、６〜１３に係る発明は、特許法第２９条第２項の規定に違反してなされたものであるから、特許を取り消すべき旨主張している。
(2) 本件発明
　訂正が認められるので、本件特許第３２９０１９０号の請求項１〜４、６〜１１（訂正前の請求項１〜４、７、８、１０〜１３）に係る発明は、訂正明細書の特許請求の範囲の請求項１〜４、６〜１１に記載された次のとおりのものである。
【請求項１】　画像信号源である少なくともホストコンピュータからの入力画像信号に対して色補正処理を施し、画像記録材料に画像を記録するための画像記録信号を得る画像記録装置において、
　前記入力画像信号を前記画像記録装置に接続された画像出力装置に適した画像信号に規格化する、各色独立のルックアップテーブルと線形マトリックス演算回路とを有した第１色補正手段と、前記第１色補正手段の出力画像信号を入力とする第２色補正手段と、前記第２色補正手段の出力画像信号を入力とする第３色補正手段とを備え、
　少なくとも、前記第１色補正手段及び前記第３色補正手段に対して、該色補正手段の色補正量を調整するための調整情報入力手段と、該調整情報入力手段により入力された調整情報により前記色補正手段の色補正量を調整する調整手段とを備え、
　前記第１色補正手段に対する調整手段は前記画像記録材料の色材とは異なる色相を基準とした調整手段であり、前記第３色補正手段に対する調整手段は前記画像記録材料と同一色相を基準とした調整手段であり、
　前記第３色補正手段は各色独立のルックアップテーブルを有し、当該ルックアップテーブルは、前記第２色補正手段からの出力画像信号を、キャリブレーションを実施するのに適した領域に変換するルックアップテーブルと、キャリブレーション用ルックアップテーブルとを含み、　
　前記第３色補正手段に対する調整手段は、前記画像記録材料と同一色相を基準とした前記キャリブレーション用ルックアップテーブルにて調整を実施するものであることを特徴とする画像記録装置。
【請求項２】　前記第２色補正手段が、前記第１色補正手段によって規格化された画像信号を画像記録材料の色材の特性にマッチングさせることを特徴とする請求項１記載の画像記録装置。
【請求項３】　請求項１に記載の画像記録装置であって、前記第１色補正手段を構成する前記各色独立のルックアップテーブルと線形マトリクス演算回路とが、各色あたり入力各画像信号に独立のルックアップテーブルとこれらルックアップテーブルの出力を加算する加算回路とから成ることを特徴とする画像記録装置。
【請求項４】　画像信号源である少なくともホストコンピュータからの入力画像信号に対して色補正処理を施し、画像記録材料に画像を記録するための画像記録信号を得る画像記録装置において、
　前記画像信号源からの入力画像信号を入力とする第１色補正手段と、前記第１色補正手段の出力画像信号を入力とする第２色補正手段と、前記第２色補正手段の出力画像信号を入力とする第３色補正手段を備え、
　少なくとも、前記第１色補正手段及び前記第３色補正手段に対して、該色補正手段の色補正量を調整するための調整情報入力手段と、該調整情報入力手段により入力された調整情報により前記色補正手段の色補正量を調整する調整手段とを備え、
　前記第２色補正手段は各色の入力画像信号の上位ｎビットをアドレスとする３次元ルックアップテーブルの出力と各色の入力画像信号の下位ｍビットの信号を用いて補間演算を行う補間装置を有し、前記第１色補正手段は前記各色の入力画像信号を（２ｎ＋ｍ−２ｍ）段の階調数に圧縮する機能を有するものであることを特徴とする画像記録装置。
【請求項６】　請求項１に記載の画像記録装置であって、前記第１色補正手段に対する調整手段及び調整情報入力手段は少なくとも色相調整機能、彩度調整機能を有することを特徴とする画像記録装置。
【請求項７】　請求項１に記載の画像記録装置であって、前記第１色補正手段に対する調整手段及び調整情報入力手段は少なくともあらかじめ記憶された前記ルックアップテーブルの選択機能を有することを特徴とする画像記録装置。
【請求項８】　請求項６または７に記載の画像記録装置であって、前記調整情報入力手段が前記画像記録装置のオペレーションパネル及び前記ホストコンピュータ等の画像信号源であり、該オペレーションパネル及び前記画像信号源は同一の調整情報を入力可能であることを特徴とする画像記録装置。　
【請求項９】　請求項６または７に記載の画像記録装置であって、前記調整情報入力手段が前記画像記録装置のオペレーションパネル及び前記ホストコンピュータ等の画像信号源であり、前記調整情報が前記オペレーションパネル及び前記画像信号源から供給される情報を加算したものであることを特徴とする画像記録装置。
【請求項１０】　請求項１に記載の画像記録装置であって、前記各色独立のルックアップテーブルのデータが前記画像信号源からダウンロードされたものであることを特徴とする画像記録装置。
【請求項１１】　請求項１記載の画像記録装置であって、
　前記第１及び第３色補正手段の有するルックアップテーブルは前記画像信号源からの入力画像信号を入力とするＲＡＭで構成されたものであり、前記第２色補正手段は前記画像信号原からの入力画像信号を入力とするＲＡＭで構成されたルックアップテーブルを有するものであり、
　電源遮断時にも有効なバックアップされた前記ルックアップテーブル調整用の調整パラメータ記憶手段を備え、
　前記ルックアップテーブルの計算は電源投入時及び調整情報変更時にのみ前記調整パラメータを用いて行うことを特徴とする画像記録装置。
(3)　引用刊行物に記載された発明
　当審が通知した取消理由で引用した刊行物１（甲第１号証）には、「カラー画像形成装置」の発明に関し、
　ア　発明の属する技術分野について、「この発明は、カラープリンタ、カラー複写機、カラーファクシミリ等入力カラー画像を再現するカラー画像形成装置に係り、特に、入力カラー画像を忠実に再現するために、色材や記録部材、画像読取り部等に基づく色再現特性を補正する色補正部が設けられたカラー画像形成装置の改良に関する」（１頁右下欄１１行〜１７行）こと、
　イ　問題点を解決するための手段について、「この発明は、第１図に示すように、入力カラー画像を入力する各種画像入力部１２（例えば１２ａ〜１２ｃ）と、画像入力装置１２からのカラー画像データの色再現特性を補正して所定の画像処理を行なう画像処理装置１３と、この画像処理装置１３からの画像データに基づいてカラー画像を出力する画像出力装置１４とを備えたカラー画形成装置であって、画像処理装置１３には、画像入力装置１２からのカラー画像データが所定の表色系データに対応すべく補正される第一色補正部１５（第１図において具体的には１５ａないし１５ｃ）を設けると共、上記画像出力装置１４の色再現特性を補正すべく上記第一の色補正部１５からの表色系データが処理される第二の色補正部１６を第一の色補正部１５と分離して設けたものである。このような技術手段において、上記画像入力装置１２としては、入力画像を読取るＣＣＤやセンサ等の画像読取り装置、カラーテレビジョン画像をディジタル画像に変換する画像変換装置あるいはコンピュータグラフィックス装置等カラーディジタル画像を生成する画像生成装置等各種のものがある。また、画像処理装置１３としては、上記第一及び第二色補正部１５、１６以外に、輪郭強調、下色除去/墨入れ、階調補正、中間調処理等の各種画像処理を行なう画像処理部を有するものであって差し支えない。（中略）また、第一及び第二の色補正部１５、１６の具体的構成については、所定の表色系データを基にして色再現特性を補正し得るものであれば、線形マスキング法、２段マスキング法、非線形マスキング法等を適用して適宜設計変更差支えない」（２頁左下欄１３行〜３頁左上欄１２行）こと、
　ウ　実施例１について、「２１はカラーのオリジナル原稿、２２はオリジナル原稿２１を読取るＣＣＤ等からなるカラー画像読取り装置（本発明の画像入力装置１２に相当）、２３は読取ったカラー画像データを色補正して適宜処理する画像処理装置（本発明の画像読取り装置１３に相当）、２４は画像読取装置２３からの出力データに基づいてカラープリント２５を出力するフルカラープリンタ（本発明の画像出力装置１４に相当）である。そして、上記画像読取装置２３は、カラー画像読取り装置２２の読取り特性の補正処理を行なう読取り特性補正処理部２３ａ（本発明の第一の色補正部１５に相当）と、読取り特性補正処理部２３ａからの画像データの色再現特性を補正する色補正マスキング処理部２３ｂ（本発明の第二の色補正部１６に相当）と、色補正マスキング処理部２３ｂからの画像データに対して各種画像処理（輪郭処理、下色除去/墨入れ、階調補正、中間調処理等）を行なう画像処理部２３ｃとを備えている」（３頁右上欄２０行〜左下欄１９行）こと、
　エ　同じく実施例１について、「この実施例において、上記読取り特性補正処理部２３ａは、カラー画像読取り装置の出力であるＲＧＢ濃度（又は輝度）のデータに対してカラー画像読取り装置２２の色特性を補正し、オリジナル原稿２１の色を忠実に読取ったＸＹＺ表色系のデータ（ＸＹＺデータ）に変換するもので、以下に述べる演算式（１）に基づく演算を行うようになっている。Ｅ＝Ψ１・Ｄ・・・・・・（１）（中略）この実施例において、上記ＲＧＢ濃度は０〜２５５の整数値で規格化され、ＲＧＢ＝０のとき白、ＲＧＢ＝２５５のとき黒に近いことを現している。上記演算式（１）において、係数行列Ψ１は、テスト画像２６（予め計測してＲＧＢデータが分かっているもの）をカラー画像読取り装置２２で読取り、そのときの多数の出力データを測定した後、これら多数の測定値を基にして、ＸＹＺの関数としてのＲＧＢの関数形を最小二乗近似で決定することにより、最適解として求められる」（３頁左下欄２０行〜４頁左上欄３行）こと、
　オ　同じく実施例１について、「また、上記色補正マスキング処理部２３ｂは、画像処理部２３ｃ、フルカラープリンタ２４及び色材、記録部材等データ出力部側総ての色再現特性を補正するもので、読取り特性補正処理部２３ａからのＸＹＺデータを各色相インク（シアン、マゼンタ、イエロ）の面積比率を０〜２５５の整数値で規格化してなるＣＭＹデータに変換するに当って、以下に述べる演算式（２）に基づく演算を行なうようになっている。Ｈ＝Ψ２・Ｆ・・・・・・（２）（中略）上記演算式（２）において、係数行列Ψ２はサンプル色データ２７（予めＸＹＺデータが分かっているもの）を色補正マスキング処理部２３ｂへ直接入力して、そのときのフルカラープリンタ２４から出力されるカラープリント２５を多数確定した後、これらの測定値を基にして、ＣＭＹの関数としてのＸＹＺの関数形を最小二乗近似で決定することにより、最適解として求められる。（中略）カラー画像読取り装置２２を交換する場合には、色補正マスキング処理部２３ｂについては全く変更する必要はなく、読取り特性補正処理部２３ａのみをそれに合わせて変更すればよい。この場合、テスト画像２６による演算式（１）の係数行列ｍｉｊを算出し直し、その特性を読取り特性補正処理部２３ａに与えればよいため、色補正の変更作業を容易に行なうことができる。また、各種カラー画像読取り装置２２を用意する場合において、対応した演算式（１）の係数を予め同時に用意し適宜切り換え設定できるようにしておけば、カラー画像読取り装置２２の交換に際して忠実な色再現を行なうことが可能になるほか、同じカラー画像読取り装置２２に対して演算式（１）の係数を複数用意して選択できるようにしておけば、再現色を調整することもできる」（４頁左上欄４行〜左下欄１８行）こと、
　カ　実施例２について、「第３図は入力画像がコンピュータグラフィックス装置により生成されるカラー画像形成装置の実施例を示す。同図において、符合３２はフルカラーのＲＧＢ濃度（又は輝度）データを生成するコンピュータグラフィックス装置（本発明の画像入力装置１２に相当）、３３は、コンピュータの機能部をも含む画像処理装置（本発明の画像処理装置１３に相当）、３４は画像処理装置３３からの画像データに基づいてカラープリント３５を出力するフルカラープリンタ（本発明の画像出力装置１４に相当）である。この実施例において、画像処理装置３３の構成要素であるＲＧＢ濃度データの変換処理部３３ａ（本発明の第一の補正部１５に相当）は、コンピュータ内部で処理されるもので、コンピュータグラフィック装置３２の出力をＸＹＺ表色系でのデータ（ＸＹＺデータ）に変換するもので、所定の逆対数変換と線形演算とによる。又、再現色範囲の調整部３３ｂは、コンピュータグラフィック装置３２が使用している表示装置の再現色範囲がフルカラープリンタ３４のそれよりも広いことから、その差を再現色範囲の圧縮あるいは再現色範囲のカットという処理により調整するものである。更に、色補正マスキング処理部３３ｃ（本発明の第二の補正部１６に相当）及び画像処理部３３ｄは実施例１の対応する機能部２３ｂ及び２３ｃに相当するものである」（４頁左下欄２０行〜左上欄７行）こと、
が記載されている。
 同じく当審が通知した取消理由で引用した刊行物２（甲第２号証）には、「カラーリプロダクションシステム」の発明に関し、
　キ　スキャナ２４から入力された画像信号をＴＩ２６（三刺激値変換器、コラム５、５３〜５４行）及びＣＴＭ５０（色置換モジュール、コラム４、３８〜３９行）で色補正してディスクメモリ６０に格納すること、ディスクメモリ６０に格納された画像信号を、ＩＣＭ６４（インク補正モジュール、図５参照）によって画像記録材料に画像を記録するための画像信号ＣＭＹＫに変換し、更にＴＳＭ’Ｓ８８（階調メモリ、コラム７、２２〜２３行、及びコラム２、６３〜６８行）によって画像記録装置（HELIO KLISCHOGRAPH 、コラム５、１４〜２１行）用のインク濃度信号Ｃ’Ｍ’Ｙ’Ｋ’に変換すること、
　ク　「ＬＣＩＣ２色バランスモジュール３５の機能は、ハイライト、中間調およびシャドウの分離調整を含む、ずれ気味の色バランスを調整することである。（中略）色バランスモジュール３５は、ハイライト、中間調、シャドウ部ごとに、一括して大きさと向きが調整可能な他のベクトルを加えることで、色ベクトルを操作する。次の二つのモジュールは極座標で色を操作するから、ＣＩＣ２信号は極座標変換器３６によってハードウェア座標から変換される。選択的補償３７は色相環を滑らかに重なり合う七つの領域、赤、オレンジ、黄、緑、シアン、青およびマゼンタに分割する。各領域に属する信号は、独立して、色相、彩度および輝度を調整することができる。これらの制御によって、オペレータが望む画像の全体的な色変更がほぼ達成される。例えば、青ー緑を明るくして彩度を上げ、緑寄りにすると同時に、赤を暗くして彩度を下げ、オレンジを減少させる、などができる」（コラム８、３８〜６０行）こと、
　ケ　六つのノブを利用して調整情報を入力すること（コラム８、１３行〜１７行）、
が記載されている。
　同じく当審が通知した取消理由で引用した刊行物３（甲第３号証）には、「色分解画像修正装置」の発明に関し、
　コ　図１５に関連する説明として、「端子１１Ｒ、１１Ｇ、１１Ｂに供給される例えば８ビットの入力信号Ｒ、Ｇ、Ｂは、それぞれラッチ回路１２Ｒ、１２Ｇ、１２Ｂに供給されてラッチされる（中略）ラッチ回路１２Ｒ、１２Ｇ、１２Ｂからのラッチ出力は、それぞれ補間処理において使用される三角錐を特定するため、上位５ビットと下位３ビットに分離される。この場合、上位５ビットは入力信号Ｒ、Ｇ、Ｂで決まる補間点Ｐが含まれる基本格子の頂点の基準点（基準格子点）（第１２図では頂点Ａ）を表し、下位３ビットは補間点Ｐの基本格子内の位置を表すものとなる」（３頁左下欄１１行〜右下欄９行）こと、
が記載されている。
　同じく当審が通知した取消理由で引用した刊行物４（甲第４号証）には、「カラープリンタ」の発明に関し、
　サ　図５の説明として、「ホスト機器１はＣＰＵ３０にコマンドＣＭを送ると共に、例えば３ビットの画像データ（カラーコード）ＤＴをインタフェース３１に送り、インタフェース３１はタイミング制御回路３２からのタイミング信号ＴＩでその３ビット出力データを、ホスト側ルックアップテーブルを形成するＲＡＭ３３にアドレスデータとして送る（中略）ホスト側機器のルックアップテーブルをダウンロードすることも可能となる」（３頁右上欄３行〜左下欄９行）こと、が記載されている。
　同じく当審が通知した取消理由で引用した刊行物５（甲第５号証）には、「画像処理システム」の発明に関し、
　シ　マンマシンインターフェイスの説明として、「本実施例のシステム（第１図）は前述したように、ホストコンピュータ３からのカラーリーダ１の操作部から操作可能となっている」（３２頁右上欄６行〜８行）こと、
　ス　「第４９図は、第４７図Ａ図に示した状態において「モニター表示」のキーをオンにした場合、すなわちモニターテレビ３２への表示操作と、該図に示した状態において「カラーバランス」のキーをオンした場合、すなわち画像記録装置３内の画像情報をカラープリンタ２でプリントアウトする際の各画像の色味を調整する際の操作を示す（中略）レッド、グリーン、ブルー色に対応した棒グラフが表示される。レッドの＋キーを押すと棒グラフは左側により、電気信号的には赤の輝度信号を増幅する働きをする」（３４頁左上欄４行〜右上欄３行）こと、
　セ　「カラー調整機能として本実施例では第７９図に示すように、カラーパレット機能、カラーバランス機能、ガンマ補正機能に対応した、コンピュータからのコマンドとして、それぞれ、PALTTEコマンド、BALANCEコマンド、GAMMAコマンド、BITCOLORコマンドがある（中略）ＲＧＢカラーバランスは、ＬＵＴ４１１０Ａ−Ｒ、４１１０Ａ−Ｇ、４１１０−Ｂに対して輝度の傾きをBALANCEコマンドのＣ１，Ｃ２，Ｃ３パラメータの±５０％の値により設定」（４３頁左下欄５行〜４４左下欄１行）すること、
が記載されている。
(4)　対比・判断
(a)請求項１に係る発明について
　本件請求項１に係る発明と刊行物１に記載された発明（特に実施例２）とを対比すると、
　ア　刊行物１に記載された発明は、第一の色補正部１５と、第二の色補正部１６を備え、これらの色補正部は、画像入力装置１２（実施例２におけるコンピュータグラフィックス装置３２）から入力される画像信号を色補正して、画像出力装置１４（実施例２では、フルカラープリンタ３４）に画像記録信号を出力するものである（上記３(3)イ、ウ〜カ参照）から、
 「画像信号源である少なくともホストコンピュータからの入力画像信号に対して色補正処理を施し、画像記録材料に画像を記録するための画像記録信号を得る画像記録装置」である点で、本件請求項１に係る発明と差異がない。
　イ　刊行物１に記載された発明は、第一の色補正部１５（実施例２における濃度データの変換処理部３３ａ）が、コンピュータグラフィックス装置３２からの出力であるＲＧＢデータを所定の逆対数変換と線形演算とによりＸＹＺ表色系のデータ（ＸＹＺデータ）に変換するものである（上記３(3)イ、カ参照）から、「各色独立のルックアップテーブルと線形マトリックス演算回路とを有し」、「画像出力装置に適した画像信号に規格化する」点を除き、「前記入力画像信号を色補正する第１色補正手段」を備える点で、本件請求項１に係る発明と差異がない。
　ウ　刊行物１に記載された発明は、第一色補正部１５（実施例２における濃度データの変換処理部３３ａ）の後に設けられた再現色範囲の調整部３３ｂを備えている（上記３(3)カ参照）から、「第１色補正手段の出力画像信号を入力とする第２色補正手段」を備える点で、本件請求項１に係る発明と差異がない。
　エ　刊行物１に記載された発明は、再現色範囲の調整部３３ｂの後に、色補正マスキング処理部３３ｃ（実施例１では色補正マスキング処理部２３ｂ）を備えており（上記３(3)オ、カ参照）、この色補正マスキング部３３ｃ（２３ｂ）は、画像処理部３３ｄ（２３ｃ）、フルカラープリンタ３４（２４）及び色材、記録部材等データ出力部側総ての色再現特性をＨ＝Ψ２・Ｆ（演算式(2)）を用いて補正するもので、前記演算式(2)における係数行列Ψ２は、サンプル色データ２７を色補正マスキング処理部２３ｂ（３３ｃ）へ直接入力して、そのときのフルカラープリンタ２４（３４）から出力されるカラープリント２５（３５）を多数確定した後、これらの測定値を基にして、ＣＭＹの関数としてのＸＹＺの関数形を最小二乗近似で決定することにより求められるものであり、前記演算式(2)による補正は、キャリブレーションの実施ということができるから、「各色独立のルックアップテーブルを有し、当該ルックアップテーブルは、前記第２色補正手段からの出力信号を、キャリブレーションを実施するのに適した領域に変換するルックアップテーブルと、キャリブレーション用ルックアップテーブルとを含」む点を除き、「第２色補正手段の出力画像信号を入力とする第３色補正手段」を備え、「前記第３色補正手段は前記第２色補正手段からの出力画像信号に対してキャリブレーションを実施する」点で、本件請求項１に係る発明と差異がない。
　オ　刊行物１に記載された発明は、前記したように、色補正マスキング部３３ｃ（２３ｂ）が、画像処理部３３ｃ（２３ｂ）、フルカラープリンタ３４（２４）及び色材、記録部材等データ出力部側総ての色再現特性をＨ＝Ψ２・Ｆ（演算式(2)）を用いて補正するもので、前記演算式(2)における係数行列Ψ２は、、サンプル色データ２７を色補正マスキング処理部２３ｂへ直接入力して求めるものであり（上記３(3)カ参照）、前記係数行列Ψ２の算出による演算式(2)の設定は、色補正量の調整ということができる。
　また、色補正マスキング部３３ｃ（２３ｂ）に対する調整は、フルカラープリンタ３４（２４）の色材と同一の色相を基準とした調整といえるから、
「第１色補正手段に対して該色補正手段の色補正量を調整するための調整情報入力手段と、該調整情報入力手段により入力された調整情報により前記色補正手段の色補正量を調整する調整手段」を備える点、「前記第１色補正手段に対する調整手段は前記画像記録材料の色材とは異なる色相を基準とした調整手段」である点、及び、第３色補正手段に対する色補正量の調整を「調整手段」で行い、「第３色補正手段に対する調整手段が、前記画像記録材料と同一色相を基準とした前記キャリブレーション用ルックアップテーブルにて調整を実施するものである」点を除き、
「前記第３色補正手段に対して、該色補正手段の色補正量を調整するものであり、前記第３色補正手段に対する調整は前記画像記録材料と同一色相を基準とした調整」である点で、本件請求項１に係る発明と差異がない。
　したがって、本件請求項１に係る発明と刊行物１に記載された発明は、
「画像信号源である少なくともホストコンピュータからの入力画像信号に対して色補正処理を施し、画像記録材料に画像を記録するための画像記録信号を得る画像記録装置において、
　前記入力画像信号を色補正する第１色補正手段と、前記第１色補正手段の出力画像信号を入力とする第２色補正手段と、前記第２色補正手段の出力画像信号を入力とする第３色補正手段とを備え、
　前記第３色補正手段に対して、該色補正手段の色補正量を調整するものであり、
　前記第３色補正手段に対する調整は前記画像記録材料と同一色相を基準とした調整であり、
　前記第３色補正手段は前記第２色補正手段からの出力画像信号に対してキャリブレーションを実施するものである画像記録装置」である点で一致し、次の各点で相違する。
（相違点１）
　本件請求項１に係る発明は、第１色補正手段が、「各色独立のルックアップテーブルと線形マトリックス演算回路とを有し」、「画像出力装置に適した画像信号に規格化する」ものであるのに対して、刊行物１に記載された発明は、それらの点を明示しない点。
（相違点２）
　本件請求項１に係る発明は、第１色補正手段に対して「該色補正手段の色補正量を調整するための調整情報入力手段と、該調整情報入力手段により入力された調整情報により前記色補正手段の色補正量を調整する調整手段」を備えると共に、第３色補正手段に対する色補正量を調整する「調整手段」を備え、「前記第１色補正手段に対する調整手段は前記画像記録材料の色材とは異なる色相を基準とした調整手段」としているのに対して、刊行物１に記載された発明は、それらの点を明示しない点。
（相違点３）
　本件請求項１に係る発明は、第３色補正手段が、「各色独立のルックアップテーブルを有し、当該ルックアップテーブルは、前記第２色補正手段からの出力画像信号を、キャリブレーションを実施するのに適した領域に変換するルックアップテーブルと、キャリブレーション用ルックアップテーブルとを含み、前記第３色補正手段に対する調整手段は、前記画像記録材料と同一色相を基準とした前記キャリブレーション用ルックアップテーブルにて調整を実施するものである」のに対して、刊行物１に記載された発明は、それらの点を明示しない点。
　そこで前記相違点１について検討すると、
　色補正手段を各色独立のルックアップテーブルと線形マトリックス演算回路とで構成することは、当業者に周知である（必要であれば、特開昭６３−６１５９１号公報、特開平１−２２３８８８号公報、特開平２−２９２９６３号公報参照）から、第１色補正手段を、「各色独立のルックアップテーブルと線形マトリックス演算回路とを有した」ものとすることは、当業者が格別の創意工夫を要することなく容易になし得ることである。
　また、画像信号を変換するために２つのルックアップテーブルを備えたものにおいて、第１のルックアップテーブルにより、画像信号源からの画像信号を画像出力装置に適応した画像信号に変換することが当業者に周知である（必要であれば、特開昭６３−１１６８５５号公報、特開平ー６９３６９号公報参照）から、第１色補正手段が「画像出力装置に適した画像信号に規格化する」ものとすることも、当業者が格別の創意工夫を要することなく容易になし得ることである。
　次に相違点２について検討すると、
　入力側に設けられる色補正手段と出力側に設けられる色補正手段を備えるものにおいて、それら双方の色補正手段の色補正量を調整することは、刊行物１の実施例１に記載されているように（上記３(3)エ、オ参照）当業者に周知であり、また、色補正量の調整を、調整情報入力手段と該調整情報入力手段により入力された調整情報により調整する調整手段とを用いて行うことは、当業者に周知である（必要であれば、特開昭６２−２７８８７６号公報、特開昭６３−６１５９１号公報参照）から、第１色補正手段に対して「該色補正手段の色補正量を調整するための調整情報入力手段と、該調整情報入力手段により入力された調整情報により前記色補正手段の色補正量を調整する調整手段」を備えるものとすると共に、第３色補正手段に対する色補正量を調整する「調整手段」を備えるものとすることは、当業者が格別の創意工夫を要することなく容易になし得ることである。
　また、刊行物１に記載された発明における濃度データの変換処理部３３ａ（第１色補正手段に相当）は、ＲＧＢ濃度データを画像記録材料の色材であるＣＭＹデータとは異なるＸＹＺ表色系のデータに変換するものである（上記３(3)カ参照）から、その調整手段を「前記画像記録材料の色材とは異なる色相を基準とした調整手段」とすることも、当業者が格別の創意工夫を要することなく容易になし得ることである。
　次に、相違点３について検討すると、
　刊行物１における第２の色補正部１６（実施例１における色補正マスキング処理部２３ｂ、実施例２における色補正マスキング処理部３３ｃの記載（上記３(3)オ参照））から明らかなように、キャリブレーションはキャリブレーションを実施するのに適した領域で行うことが技術常識であり、また、色補正を各色独立のルックアップテーブルを用いて行うことは、前記したように、当業者に周知であるから、第３色補正手段が「各色独立のルックアップテーブルを有」するものとし、該ルックアップテーブルを「キャリブレーションを実施するのに適した領域に変換するルックアップテーブルと、キャリブレーション用ルックアップテーブルとを含」むものとすることは、当業者が格別の創意工夫を要することなく容易になし得ることである。
　また、前記したようにキャリブレーションは、キャリブレーションに適した領域で行うことが技術常識であるから、「第３色補正手段に対する調整手段は、前記画像記録材料と同一色相を基準とした前記キャリブレーション用ルックアップテーブルにて調整を実施するもの」とすることも、当業者が格別の創意工夫を要することなく容易になし得ることである。
(b)　本件請求項２に係る発明について
　本件請求項２に係る発明と刊行物１に記載された発明とを対比すると、
　刊行物１に記載された発明は、再現色範囲の調整部３３ｂ（第２色補正手段に相当）が、コンピュータグラフィックス装置３２の表示装置の再現色範囲とフルカラープリンタ３４の再現色範囲とを、画像色範囲の圧縮あるいは再現色範囲のカットという処理により調整するものである（上記３(3)カ参照）から、前記「第２色補正手段が、前記第１色補正手段によって規格化された画像信号を画像記録材料の色材の特性にマッチングさせる」点で、本件請求項２に係る発明と差異がない。
　したがって、本件請求項２に係る発明と刊行物１に記載された発明は、前記した相違点１〜３で相違するのみであるから、前記請求項１に係る発明で示した判断と同一理由により、本件請求項２に係る発明は、刊行物１に記載された発明に基づいて、当業者が格別の創意工夫を要することなく容易になし得たものである。
(c)　本件請求項３に係る発明について
　本件請求項３に係る発明と刊行物１〜５に記載された発明とを対比すると、
　刊行物１に記載された発明は、前記３(3)記載の「カラー画像形成装置」を開示するのみで、本件請求項３に係る発明の構成要件である「前記第１色補正手段を構成する前記各色独立のルックアップテーブルと線形マトリクス演算回路とが、各色あたり入力画像信号に独立のルックアップテーブルとこれらルックアップテーブルの出力を加算する加算回路とから成る」点について、開示も示唆もしない。
　刊行物２に記載された発明は、色処理、特に、コンピュータに支援された色編集システムにおいて、スキャナ２４から入力された画像信号を三刺激値変換器ＴＩ２６及びＣＴＭ５０で色補正した後、ＩＣＭ６４によって画像記録材料に画像を記録するための画像信号ＣＭＹＫに変換し、更に、ＴＳＭ’Ｓ８８によって画像記録用のインクの濃度信号Ｃ’Ｍ’Ｙ’Ｋ’に変換するようにした色編集システムを開示するのみで、本件請求項３に係る発明の前記構成要件について開示も示唆もしない。
　刊行物３に記載された発明は、前記３(3)記載の色分解画像修正装置を開示するのみで、本件請求項３に係る発明の前記構成要件について開示も示唆もしない。
　刊行物４に記載された発明は、前記３(3)記載のカラープリンタを開示するのみで、本件請求項３に係る発明の前記構成要件について開示も示唆もしない。
　刊行物５に記載された発明は、前記３(3)記載のカラープリンタを開示するのみで、本件請求項３に係る発明の前記構成要件について開示も示唆もしない。
　したがって、本件請求項３に係る発明は、刊行物１〜５に記載された発明から当業者が容易に発明をすることができたものではないから、特許法第２９条第２項の規定に違反してなされたものとすることはできない。また、他に、本件請求項３に係る発明についての特許を取り消すべき理由を発見できない。
(d)　本件請求項４に係る発明について
  本件請求項４に係る発明と刊行物１〜５に記載された発明とを対比すると、刊行物１〜５に記載された発明は、前記(c)本件請求項３に係る発明についての項で示したとおりの発明を開示するのみで、本件請求項４に係る発明の構成要件である「前記第２色補正手段は各色の入力画像信号の上位ｎビットをアドレスとする３次元ルックアップテーブルの出力と各色の入力画像信号の下位ｍビットの信号を用いて補間演算を行う補間装置を有し、前記第１色補正手段は前記各色の入力画像信号を（２ｎ＋ｍ−２ｍ）段の階調数に圧縮する機能を有するものである」点について、開示も示唆もしない。
　特許異議申立人は、「第１色補正手段は前記各色の入力画像信号を（２ｎ＋ｍ−２ｍ）段の階調数に圧縮する」は、各色の入力画像信号のビット幅をｎビットに縮小することと等価であり、刊行物３（甲第３号証）に記載された発明と差異がない旨主張する。
　しかしながら、本件発明において上記の構成を採用した理由は、メモリ容量、補間演算等の関係から、上位ｍビットに対応する格子数を２ｍ本としたことに基づくものである（特許公報段落０１０３）ところ、刊行物３に記載された発明は、例えば８ビットの入力画像信号Ｒ、Ｇ、Ｂを補間点ｐが含まれる基本格子の基準点を表す上位５ビットと、補間点ｐの基本格子内の位置を表す下位３ビットに分離するものにすぎず、（２ｎ＋ｍ−２ｍ）段の階調数に圧縮するものではないから、特許異議申立人の前記主張は理由がない。
　したがって、本件請求項４に係る発明は、刊行物１〜５に記載された発明から当業者が容易に発明をすることができたものではないから、特許法第２９条第２項の規定に違反してなされたものとすることはできない。また、他に、本件請求項４に係る発明についての特許を取り消すべき理由を発見できない。
(e)　本件請求項６に係る発明について
 本件請求項６に係る発明と刊行物１に記載された発明とを対比すると、両者は、前記３(3)に記載の点で一致し、前記相違点１〜３、及び次の点で相違する。
（相違点４）
　本件請求項６に係る発明は、「前記第１色補正手段に対する調整手段及び調整情報入力手段は少なくとも色相調整機能、彩度調整機能を有する」のに対して、刊行物１に記載された発明は、そのような機能を有することを明示しない点。
　そこで、検討すると、相違点１〜３については、前記請求項１に係る発明において判断したとおりである。
　相違点４については、色補正手段の調整において、色相及び彩度の調整を行うことは当業者に周知である（刊行物２における上記３(3)クの記載、及び特開昭６２−２７７８６６号公報、特開昭６２−２７８８７６号公報参照）から、「前記第１色補正手段に対する調整手段及び調整情報入力手段は少なくとも色相調整機能、彩度調整機能を有する」ものとすることは、当業者が格別の創意工夫を要することなく容易になし得ることである。
(f)　本件請求項７に係る発明について
  本件請求項７に係る発明と刊行物１に記載された発明とを対比すると、両者は、前記３(3)に記載の点で一致し、前記相違点１〜３、及び次の点で相違する。
（相違点５）
　本件請求項７に係る発明は、「前記第１色補正手段に対する調整手段及び調整情報入力手段は少なくともあらかじめ記憶された前記ルックアップテーブルの選択機能を有する」のに対して、刊行物１に記載された発明は、そのような機能を有することを明示しない点。
　そこで、検討すると、相違点１〜３については、前記請求項１に係る発明において判断したとおりであり、相違点５については、予め記憶されたルックアップテーブルを選択することによって、色補正手段に対する調整を行うことは、当業者に周知である（必要であれば、特開昭６３−３１６２７４号公報、特開平２−２５８２７２号公報参照）から、「前記第１色補正手段に対する調整手段及び調整情報入力手段は少なくともあらかじめ記憶された前記ルックアップテーブルの選択機能を有する」ものとすることは、当業者が格別の創意工夫を要することなく容易になし得ることである。
(g) 本件請求項８に係る発明について
　本件請求項８に係る発明と刊行物１に記載された発明とを対比すると、両者は、前記３(3)に記載の点で一致し、前記相違点１〜５、及び次の点で相違する。
（相違点６）
  本件請求項８に係る発明は、「前記調整情報入力手段が前記画像記録装置のオペレーションパネル及び前記ホストコンピュータ等の画像信号源であり、該オペレーションパネル及び前記画像信号源は同一の調整情報を入力可能である」のに対して、引用例１に記載された発明は、そのような構成を有することを明示しない点。
　そこで、検討すると、相違点１〜５については、前記請求項１、６、及び７に係る発明の判断で示したとおりであり、相違点６については、オペレーションパネルやホストコンピュータ等の画像信号源により調整情報を供給することは、刊行物２、５に記載されているように（上記３(3)ケ、シ〜セ参照）、当業者に周知であり、そして、色補正手段の調整をどのような入力手段を利用して入力するか、また、それらの入力手段により同一、同一でないに関わらず、どのような調整情報を入力可能とするかは、当業者が適宜なし得る設計的事項にすぎないから、「前記調整情報入力手段が前記画像記録装置のオペレーションパネル及び前記ホストコンピュータ等の画像信号源であり、該オペレーションパネル及び前記画像信号源は同一の調整情報を入力可能である」とすることは、当業者が格別の創意工夫を要することなく容易になし得ることである。
(h) 本件請求項９に係る発明について
　本件請求項９に係る発明と刊行物１に記載された発明とを対比すると、両者は、前記３(3)に記載の点で一致し、前記相違点１〜５、及び次の点で相違する。
（相違点７）
　本件請求項９に係る発明は、「前記調整情報入力手段が前記画像記録装置のオペレーションパネル及び前記ホストコンピュータ等の画像信号源であり、前記調整情報が前記オペレーションパネル及び前記画像信号源から供給される情報を加算したものである」のに対して、刊行物１に記載された発明は、そのような構成を有することを明示しない点。
　そこで、検討すると、相違点１〜５については、前記請求項１、６、及び７に係る発明の判断で示したとおりであり、相違点７については、コンピュータで生成される基本情報や書誌的情報に、オペレーションパネルやキーボード等からユーザにより入力される詳細情報あるいは付加情報等とを組み合わせ、あるいは加算する等によって情報信号を生成し、該情報信号により、各種処理装置に対する調整、制御等を行うことは、一般に、周知ないし慣用手段であるから、「前記調整情報入力手段が前記画像記録装置のオペレーションパネル及び前記ホストコンピュータ等の画像信号源であり、前記調整情報が前記オペレーションパネル及び前記画像信号源から供給される情報を加算したものである」ものとすることは、当業者が格別の創意工夫を要することなく容易になし得ることである。
(i) 本件請求項１０に係る発明について
　本件請求項１０に係る発明と刊行物１に記載された発明とを対比すると、両者は、前記３(3)に記載の点で一致し、前記相違点１〜３、及び次の点で相違する。
（相違点８）
　本件請求項１０に係る発明は、「前記各色独立のルックアップテーブルのデータが前記画像信号源からダウンロードされたものである」のに対して、引用例１に記載された発明は、そのような構成を有することを明示しない点。
　そこで、検討すると、相違点１〜３については、前記請求項１に係る発明の判断で示したとおりであり、相違点８については、ルックアップテーブル等、メモリに記憶する各種調整、制御データをホストコンピュータからダウンロードすることは、当業者に周知である（上記３(3)サ参照）から、「前記各色独立のルックアップテーブルのデータが前記画像信号源からダウンロードされたものである」ものとすることは、当業者が格別の創意工夫を要することなく容易になし得ることである。
(j)  本件請求項１１に係る発明について
　本件請求項１１に係る発明と、刊行物１〜５に記載された発明とを対比すると、
 刊行物１〜５に記載された各発明は、前記本件請求項４に係る発明の判断の項で記載した発明を開示するのみで、本件請求項１１に係る発明の構成要件である「前記第１及び第３色補正手段の有するルックアップテーブルは前記画像信号源からの入力画像信号を入力とするＲＡＭで構成されたものであり、前記第２色補正手段は前記画像信号原からの入力画像信号を入力とするＲＡＭで構成されたルックアップテーブルを有するものであり、電源遮断時にも有効なバックアップされた前記ルックアップテーブル調整用の調整パラメータ記憶手段を備え、前記ルックアップテーブルの計算は電源投入時及び調整情報変更時にのみ前記調整パラメータを用いて行う」点について、開示も示唆もしない。
　特許異議申立人は、ＥＰＲＯＭなどの不揮発メモリを使用して、調整パラメータを電源遮断時にも有効にバックアップする方法は周知技術であると主張するが、ルックアップテーブル調整用の調整パラメータを電源遮断時にバックアップする方法が周知技術であることを認めるに足る証拠を見いだすことができず、また、ルックアップテーブルの計算は電源投入時及び調整情報変更時にのみ前記調整パラメータを用いて行う点についても、これが周知であると認めるに足る証拠を見いだすことができないので、特許異議申立人の係る主張を採用することはできない。
　したがって、本件請求項１１に係る発明は、刊行物１〜５に記載された発明から当業者が容易に発明をすることができたものではないから、特許法第２９条第２項の規定に違反してなされたものとすることはできない。
　また、他に、本件請求項１１に係る発明についての特許を取り消すべき理由を発見できない。
　そして、本件請求項１、２、６〜１０に係る発明によって奏される効果は、前記刊行物１〜５に記載された発明、及び周知技術から容易に予測できるものであり格別のものではない。
　
(5)　まとめ　
　以上のとおりであるから、本件請求項１、２、６〜１０に係る発明は、刊行物１〜５に記載された発明、及び周知技術に基いて、当業者が容易に発明をすることができたものであり、特許法第２９条第２項の規定により、特許を受けることができない。
　したがって、本件請求項１、２、６〜１０に係る発明の特許は拒絶の査定をしなければならない特許出願に対してされたものと認める。
　また、請求項３、４、１１に係る発明については、拒絶をすべき理由を発見しない。
　よって、特許法等の一部を改正する法律（平成６年法律第１１６号）附則第１４条の規定に基づく、特許法の一部を改正する法律の施行に伴う経過措置を定める政令（平成７年政令第２０５号）第４条第２項の規定により、結論の通り決定する。           
【異議決定日】
平成１５年１０月９日（２００３．１０．９）
【訂正の要旨】
審決（決定）の【理由】欄参照。
（５４）【発明の名称】
画像記録装置
（５７）【特許請求の範囲】
　【請求項１】　画像信号源である少なくともホストコンピュータからの入力画像信号に対して色補正処理を施し、画像記録材料に画像を記録するための画像記録信号を得る画像記録装置において、
　前記入力画像信号を前記画像記録装置に接続された画像出力装置に適した画像信号に規格化する、各色独立のルックアップテーブルと線形マトリックス演算回路とを有した第１色補正手段と、前記第１色補正手段の出力画像信号を入力とする第２色補正手段と、前記第２色補正手段の出力画像信号を入力とする第３色補正手段とを備え、
　少なくとも、前記第１色補正手段及び前記第３色補正手段に対して、該色補正手段の色補正量を調整するための調整情報入力手段と、該調整情報入力手段により入力された調整情報により前記色補正手段の色補正量を調整する調整手段とを備え、
　前記第１色補正手段に対する調整手段は前記画像記録材料の色材とは異なる色相を基準とした調整手段であり、前記第３色補正手段に対する調整手段は前記画像記録材料と同一色相を基準とした調整手段であり、
　前記第３色補正手段は各色独立のルックアップテーブルを有し、当該ルックアップテーブルは、前記第２色補正手段からの出力画信号を、キャリブレーションを実施するのに適した領域に変換するルックアップテーブルと、キャリブレーション用ルックアップテーブルとを含み、
　前記第３色補正手段に対する調整手段は、前記画像記録材料と同一色相を基準とした前記キャリブレーション用ルックアップテーブルにて調整を実施するものであることを特徴とする
　【請求項２】　前記第２色補正手段が、前記第１色補正手段によって規格化された画像信号を画像記録材料の色材の特性にマッチングさせることを特徴とする請求項１記載の画像記録装置。
　【請求項３】　請求項１に記載の画像記録装置であって、前記第１色補正手段を構成する前記各色独立のルックアップテーブルと線形マトリクス演算回路とが、各色あたり入力各画像信号に独立のルックアップテーブルとこれらルックアップテーブルの出力を加算する加算回路とから成ることを特徴とする画像記録装置。
　【請求項４】　画像信号源である少なくともホストコンピュータからの入力画像信号に対して色補正処理を施し、画像記録材料に画像を記録するための画像記録信号を得る画像記録装置において、
　前記画像信号源からの入力画像信号を入力とする第１色補正手段と、前記第１色補正手段の出力画像信号を入力とする第２色補正手段と、前記第２色補正手段の出力画像信号を入力とする第３色補正手段を備え、
　少なくとも、前記第１色補正手段及び前記第３色補正手段に対して、該色補正手段の色補正量を調整するための調整情報入力手段と、該調整情報入力手段により入力された調整情報により前記色補正手段の色補正量を調整する調整手段とを備え、
　前記第２色補正手段は各色の入力画像信号の上位ｎビットをアドレスとする３次元ルックアップテーブルの出力と各色の入力画像信号の下位ｍビットの信号を用いて補間演算を行う補間装置を有し、前記第１色補正手段は前記各色の入力画像信号を（２ｎ＋ｍ−２ｍ）段の階調数に圧縮する機能を有するものであることを特徴とする画像記録装置。
　【請求項５】　画像信号源である少なくともホストコンピュータからの入力画像信号に対して色補正処理を施し、画像記録材料に画像を記録するための画像記録信号を得る画像記録装置において、
　前記画像信号源からの入力画像信号を入力とする第１色補正手段と、前記第１色補正手段の出力画像信号を入力とする第２色補正手段と、前記第２色補正手段の出力画像信号を入力とする第３色補正手段を備え、
　少なくとも、前記第１色補正手段及び前記第３色補正手段に対して、該色補正手段の色補正量を調整するための調整情報入力手段と、該調整情報入力手段により入力された調整情報により前記色補正手段の色補正量を調整する調整手段とを備え、
　前記第２色補正手段をバイパスすることが可能であり、前記第１色補正手段及び前記第２色補正手段の何れか一方の出力画像信号を選択して前記第３色補正手段へ導出する選択手段を有する画像記録装置。
　【請求項６】　
請求項１に記載の画像記録装置であって、前記第１色補正手段に対する調整手段及び調整情報入力手段は少なくとも色相調整機能、彩度調整機能を有することを特徴とする画像記録装置。
　【請求項７】　
請求項１に記載の画像記録装置であって、前記第１色補正手段に対する調整手段及び調整情報入力手段は少なくともあらかじめ記憶された前記ルックアップテーブルの選択機能を有することを特徴とする画像記録装置。
　【請求項８】　
請求項６または７に記載の画像記録装置であって、前記調整情報入力手段が前記画像記録装置のオペレーションパネル及び前記ホストコンピュータ等の画像信号源であり、該オペレーションパネル及び前記画像信号源は同一の調整情報を入力可能であることを特徴とする画像記録装置。
　【請求項９】　
請求項６または７に記載の画像記録装置であって、前記調整情報入力手段が前記画像記録装置のオペレーションパネル及び前記ホストコンピュータ等の画像信号源であり、前記調整情報が前記オペレーションパネル及び前記画像信号源から供給される情報を加算したものであることを特徴とする画像記録装置。
　【請求項１０】　
請求項１に記載の画像記録装置であって、前記各色独立のルックアップテーブルのデータが前記画像信号源からダウンロードされたものであることを特徴とする画像記録装置。
　【請求項１１】　
請求項１に記載の画像記録装置であって、
　前記第１及び第３色補正手段の有するルックアップテーブルは前記画像信号源からの入力画像信号を入力とするＲＡＭで構成されたものであり、前記第２色補正手段は前記画像信号源からの入力画像信号を入力とするＲＡＭで構成されたルックアップテーブルを有するものであり、
　電源遮断時にも有効なバックアップされた前記ルックアップテーブル調整用の調整パラメータ記憶手段を備え、
　前記ルックアップテーブルの計算は電源投入時及び調整情報変更時にのみ前記調整パラメータを用いて行うことを特徴とする画像記録装置。
　【請求項１２】　
画像信号源である少なくともホストコンピュータからの入力画像信号に対して色補正処理を施し、画像記録材料に画像を記録するための画像記録信号を得る画像記録装置において、
　前記画像信号源からの入力画像信号を記憶するフレームメモリと第１、第２及び第３の色補正手段とを備え、前記フレームメモリに記憶された画像データを前記第１、第２及び第３の色補正手段により色補正した後、再び同一の前記フレームメモリへ画像データを一時記憶することを特徴とする画像記録装置。
　【請求項１３】　
画像信号源である少なくともホストコンピュータからの入力画像信号に対して色補正処理を施し、画像記録材料に画像を記録するための画像記録信号を得る画像記録装置において、
　少なくとも３つのラインバッファと第１、第２及び第３の色補正手段とを備え、
　前記画像信号源からの画像信号入力、前記第１、第２及び第３の色補正手段による色補正、及び画像記録の３つの処理をラインバッファを切り換えながら同時処理することを特徴とする画像記録装置。
　【請求項１４】　
画像信号源である少なくともホストコンピュータからの入力画像信号に対して第１、第２及び第３の色補正を施し、画像記録材料に画像を記録するための画像記録信号を得る画像記録装置の色再現域の圧縮方法であって、
　Ｌ＊ａ＊ｂ＊色空間において、ａ＊ｂ＊平面上に同一色相となる色空間の色をプロットし、得られる軌跡を関数により曲線近似し、この近似曲線に従って注目する色を移動させ色味を変化させることなく圧縮を行い、色再現域外の色を色再現域内の色に対応させた後、
　次に、前記圧縮による色のつぶれを除くために、圧縮により移動した色およびその周辺の色を再度移動させることを特徴とする画像記録装置の色再現域の圧縮方法。
　【請求項１５】　
画像信号源である少なくともホストコンピュータからの入力画像信号に対して第１、第２及び第３の色補正を施し、画像記録材料に画像を記録するための画像記録信号を得る画像記録装置の色再現域の圧縮方法であって、
　入力画像信号をカラーＣＲＴモニタ上に表示した場合のカラーＣＲＴモニタ上の白色ＲＧＢ基本三刺激値（ＲＣＷＧＣＷＢＣＷ）を、画像が記録された前記画像記録材料上の白色のＲＧＢ基本三刺激値を（ＲＰＷＧＰＷＢＰＷ）とし、
　ＲＧＢ基本三刺激値におけるカラーＣＲＴモニタ上の色ＲＣＧＣＢＣと画像が記録された前記画像記録材料上の色Ｒ’Ｇ’Ｂ’とにおいて、
　　Ｒ’＝（ＲＰＷ／ＲＣＷ）ＲＣ
　　Ｇ’＝（ＧＰＷ／ＧＣＷ）ＧＣ
　　Ｂ’＝（ＢＰＷ／ＢＣＷ）ＢＣ
　上記式の画像記録材料上の白色（ＲＰＷＧＰＷＢＰＷ）を実際よりも暗い白色（ＲＰＷ’ＧＰＷ’ＢＰＷ’）、但し、
　　（ＲＰＷ’／ＲＰＷ）＝（ＧＰＷ’／ＧＰＷ）＝（ＢＰＷ’／ＢＰＷ）＜１
に設定し直すことにより新たに対応づけられる色Ｒ”Ｇ”Ｂ”を求め、この色が再現域表面上の色となるように圧縮を行い、色再現域外の色を色再現域内に対応させた後、
　次に前記圧縮による色のつぶれを除くために、圧縮により移動した色およびその周辺の色を再度移動させることを特徴とする画像記録装置の色再現域の圧縮方法。
【発明の詳細な説明】
　【０００１】
　【産業上の利用分野】
　本発明は画像信号源からの入力画像信号に対して色補正処理を施し、画像記録材料に画像記録するための出力画像信号を得るための画像記録装置に関する。
　【０００２】
　【従来技術】
　コンピュータグラフィックスシステム等の種々のカラー画像信号源からの入力画像信号を処理して画像記録材料に可視画像信号を出力する画像記録装置がある。この画像記録装置を用いて画像記録材料に好ましい色再現を有した画像を記録する場合、画像信号源からの入力画像色信号、画像記録装置及び画像記録材料の色再現特性を考慮した色補正を行う必要がある。また、ユーザの好みによる色調整や、画像記録材料のばらつきの補正等頻度高く色補正の設定を調整する必要がある。
　【０００３】
　そこで、このような条件を加味した従来技術として特開平３−６９３６９号公報に開示されたものがある。この従来技術は３色独立の２つのルックアップテーブルと指数変換手段を有している（図４）。第１のルックアップテーブルは画像信号源からの画像信号を画像出力装置に応じて濃度に略線型な領域に変換し、この濃度領域での線形変換により比較的人間の視覚特性に合った色調整を可能にしている。また後段に第２のルックアップテーブルと指数変換を与えているため、記録材料のばらつきに影響されずグレーバランスを維持でき、濃度、硬さ調整を実施した時もグレーバランスがくずれない。
　【０００４】
　【発明が解決しようとする課題】
　しかしながら、一般的に入力画像色信号（Ｒｉ、Ｇｉ、Ｂｉ）（それぞれレッド、グリーン、ブルーを意味する）と記録材料の色材（Ｃｏ、Ｍｏ、Ｙｏ）（それぞれシアン、マゼンタ、イエローを意味する）の関係は複雑な非線形関係となる（数１式）。
　【０００５】
　【数１】
　　Ｃｏ＝ｆ（Ｒｉ，Ｇｉ，Ｂｉ）
　　Ｍｏ＝ｇ（Ｒｉ，Ｇｉ，Ｂｉ）
　　Ｙｏ＝ｒ（Ｒｉ，Ｇｉ，Ｂｉ）
　【０００６】
　また、入力画像色信号と記録材料の色再現範囲は異なる場合が多く、特に入力画像信号がカラーＣＲＴモニタに映し出されている場合には、カラーＣＲＴモニターの色再現範囲
が
　【０００７】
　また、色調整についても人間の視覚特性を考慮するだけでなく、入力画像信号の特性に対応した色調整手段を与える必要がある。
　【０００８】
　これに対し、各色独立のルックアップテーブルだけでは、数２式の関係しか補正できず良好な色再現が得られない。
　【０００９】
　【数２】
　　Ｃｏ＝ｆ（Ｒｉ）
　　Ｍｏ＝ｇ（Ｇｉ）
　　Ｙｏ＝ｒ（Ｂｉ）
　【００１０】
　また、色相や彩度の調整も不可能であり、カラーバランス調整等も記録材料の色材の色相を基準とするものであり、必らずしも人間の感覚に合っていなかった。
　【００１１】
　数１式関係を精度よく補正する従来技術としては、入力画像色信号の各色をアドレスとした３次元ルックアップテーブルが知られている。この３次元ルックアップテーブルは入力画像色信号を８ビット、出力画像色信号を８ビットとすると、２８ｘ８ｘ８×３≒５０Ｍバイトのテーブルメモリを必要とするため経済性が悪い。また、色調整するためには、この５０Ｍバイトのテーブルを書き換える必要があり非常に効率が悪い。
　【００１２】
　最近では１台の画像出力装置に対して複数のホストコンピュータグラフィックスシステムが接続されたり、画像出力装置が遠方に置かれたり、またユーザ数が複数であったりする場合が多い。このため色調整は、ホストのシステムから実施できることが望ましいが、画像出力装置の標準条件が良好に管理されない等の問題が生じている。
　【００１３】
　また、ホストシステムの画像データ転送速度と画像出力装置の色補正処理速度及び画像記録速度が整合がとれない場合には、画像記録に非常に長い時間を必要としたり、それを回避するために画像出力装置に大量のフレームメモリーを必要とする等の問題があった。
　【００１４】
　本発明の目的は、上記従来技術の問題点を解消し、良好な色再現と容易な色調整機能を有した画像記録装置を安価に提供することにある。
　【００１５】
　【課題を解決するための手段】
　本発明に係わる上記目的は下記の構成により達成される。
　（１）画像信号源である少なくともホストコンピュータからの入力画像信号に対して色補正処理を施し、画像記録材料に画像を記録するための画像記録信号を得る画像記録装置において、前記入力画像信号を前記画像記録装置に接続された画像出力装置に適した画像信号に規格化する、各色独立のルックアップテーブルと線形マトリックス演算回路とを有した第１色補正手段と、前記第１色補正手段の出力画像信号を入力とする第２色補正手段と、前記第２色補正手段の出力画像信号を入力とする第３色補正手段とを備え、少なくとも、前記第１色補正手段及び前記第３色補正手段に対して、該色補正手段の色補正量を調整するための調整情報入力手段と、該調整情報入力手段により入力された調整情報により前記色補正手段の色補正量を調整する調整手段とを備え
、前記第１色補正手段に対する調整手段は前記画像記録材料の色材とは異なる色相を基準とした調整手段であり、前記第３色補正手段に対する調整手段は前記画像記録材料と同一色相を基準とした調整手段であり、前記第３色補正手段は各色独立のルックアップテーブルを有し、当該ルックアップテーブルは、前記第２色補正手段からの出力画像信号を、キャリブレーションを実施するのに適した領域に変換するルックアップテーブルと、キャリブレーション用ルックアップテーブルとを含み、前記第３色補正手段に対する調整手段は、前記画像記録材料と同一色相を基準とした前記キャリブレーション用ルックアップテーブルにて調整を実施するものであることを特徴とする画像記録装置。
（２）前記（１）に記載の画像記録装置であって、第２色補正手段が、前記第１色補正手段によって規格化された画像信号を前記画像記録材料の色材の特性にマッチングさせる画像記録装置。
　【００１６】
　（３）前記（１）に記載の画像記録装置であって、前記第１色補正手段を構成する前記各色独立のルックアップテーブルと線形マトリクス演算回路とが、各色あたり入力各画像信号に独立のルックアップテーブルとこれらルックアップテーブルの出力を加算する加算回路とから成る画像記録装置。
　【００１７】
　（４）画像信号源である少なくともホストコンピュータからの入力画像信号に対して色補正処理を施し、画像記録材料に画像を記録するための画像記録信号を得る画像記録装置において、前記画像信号源からの入力画像信号を入力とする第１色補正手段と、前記第１色補正手段の出力画像信号を入力とする第２色補正手段と、前記第２色補正手段の出力画像信号を入力とする第３色補正手段を備え、少なくとも、前記第１色補正手段及び前記第３色補正手段に対して、該色補正手段の色補正量を調整するための調整情報入力手段と、該調整情報入力手段により入力された調整情報により前記色補正手段の色補正量を調整する調整手段とを備え、前記第２色補正手段は各色の入力画像信号の上位ｎビットをアドレスとする３次元ルックアップテーブルの出力と各色の入力画像信号の下位ｍビットの信号を用いて補間演算を行う補間装置を有し、前記第１色補正手段は前記各色の入力画像信号を（２ｎ＋ｍ−２ｍ）段の階調数に圧縮する機能を有する画像記録装置。
　【００１８】
　（５）画像信号源である少なくともホストコンピュータからの入力画像信号に対して色補正処理を施し、画像記録材料に画像を記録するための画像記録信号を得る画像記録装置において、前記画像信号源からの入力画像信号を入力とする第１色補正手段と、前記第１色補正手段の出力画像信号を入力とする第２色補正手段と、前記第２色補正手段の出力画像信号を入力とする第３色補正手段を備え、少なくとも、前記第１色補正手段及び前記第３色補正手段に対して、該色補正手段の色補正量を調整するための調整情報入力手段と、該調整情報入力手段により入力された調整情報により前記色補正手段の色補正量を調整する調整手段とを備え、前記第２色補正手段をバイパスすることが可能であり、前記第１色補正手段及び前記第２色補正手段の何れか一方の出力画像信号を選択して前記第３色補正手段へ導出する選択手段を有する画像記録装置。
　【００１９】
　【００２０】
　（
６
　【００２１】
　（
７
　【００２２】
　【００２３】
　（
８
（６）または（７）
　【００２４】
　（
９
（６）または（７）
　【００２５】
　（
１０
　【００２６】
　
（１１）前記（１）に記載の画像記録装置であって、前記第１及び第３色補正手段の有するルックアップテーブルは前記画像信号源からの入力画像信号を入力とするＲＡＭで構成されたものであり、前記第２色補正手段は前記画像信号源からの入力画像信号を入力とするＲＡＭで構成されたルックアップテーブルを有するものであり、電源遮断時にも有効なバックアップされた前記ルックアップテーブル調整用の調整パラメータ記憶手段を備え、前記ルックアップテーブルの計算は電源投入時及び調整情報変更時にのみ前記調整パラメータを用いて行う画像記録装置。
　【００２７】
　（
１２
　【００２８】
　（
１３
　【００２９】
　（
１４
　【００３０】
　（
１５
　　Ｒ’＝（ＲＰＷ／ＲＣＷ）ＲＣ
　　Ｇ’＝（ＧＰＷ／ＧＣＷ）ＧＣ
　　Ｂ’＝（ＢＰＷ／ＢＣＷ）ＢＣ
　上記式の画像記録材料上の白色（ＲＰＷＧＰＷＢＰＷ）を実際よりも暗い白色（ＲＰＷ’ＧＰＷ’ＢＰＷ’）、但し、（ＲＰＷ’／ＲＰＷ）＝（ＧＰＷ’／ＧＰＷ）＝（ＢＰＷ’／ＢＰＷ）＜１に設定し直すことにより新たに対応づけられる色Ｒ”Ｇ”Ｂ”を求め、この色が再現域表面上の色となるように圧縮を行い、色再現域外の色を色再現域内に対応させた後、次に、前記圧縮による色のつぶれを除くために、圧縮により移動した色およびその周辺の色を再度移動させる画像記録装置の色再現域の圧縮方法。
　【００３１】
　【００３２】
　【００３３】
　【００３４】
　【００３５】
　【作用】
　前記のように、本発明に係わる画像記録装置では、画像信号源に対応した第１色補正手段にて、入力画像信号を当該画像出力装置に適した領域に規格化している。また、この第１色補正手段には調整手段と調整情報入力手段が設けられ、画像信号源に応じて濃度調整、コントラスト調整、カラーバランス調整、色相調整、彩度調整等の色調整が行なわれる。次いで、前記規格化された画像信号は第２色補正手段で処理される。この第２色補正手段では非線型な写像が３次元ルックアップテーブルで実施され、規格化された画像信号と画像記録材料の色材の特性をマッチングさせている。さらに第２色補正手段の出力は第３色補正手段に入力される。この第３色補正手段は画像記録材料及び装置のばらつきを補正するものでいわゆるキャリブレーションを実施する。この第３色補正手段には、調整手段と調整情報入力手段が設けられ、前記ばらつきを補償するための調整情報が与えられる。
　【００３６】
　【実施例】
　次に、本発明に係る画像記録装置について好適な実施例を挙げ、添付の図面を参照しながら以下に説明する。
　【００３７】
　画像記録装置の全体構成例１
　まず、フレームメモリを登載している場合の全体構成例について図１を参照して説明する。
　【００３８】
　ホストからの画像データをＩ／Ｆ部（２）を通して受信し、１画面分の画像データを、フレームメモリ（４）に書き込む。書き込みが終了すると、マルチプレクサ（６，７）を切り換え、色補正処理部（５）、制御、アドレス発生回路（８）から、フレームメモリ（４）をアクセスできるようにする。次に、制御・アドレス発生回路（８）により、順番にアドレス信号を発生させ、フレームメモリ（４）の画像データを読みだして、色補正処理部（５）に送る。色補正処理部は、送られた画像データに対して、色補正処理等を実行する。色補正処理部（５）によって処理された結果のデータは、制御・アドレス発生回路（８）により、フレームメモリ（４）に書きもどされる。このとき、読み出た時のアドレスと同一のアドレスに再び書き込むように、アドレスを発生させる。
　【００３９】
　このように、補正処理結果を、同一のメモリアドレスに書き戻すことによって、フレームメモリを複数画面分持つことなく補正処理を行うことが可能になり、回路規模を縮小し、コストを低減することができる。
　【００４０】
　１画面全部の処理が終了したら、マクチプレクサ（６，７）を切り換えて、ＣＰＵ（１）からフレームメモリ（４）をアクセスできるようにし、１画面分の画像データを露光部（３）に転送し、画像記録を行う。
　【００４１】
　色補正処理部に対して調整を実施する場合には、調整情報入力手段であるオペレーションパネル（９）またはホストコンピュータからＩ／Ｆ部（２）を通じて調整情報が入力され、この調整情報に基づき調整手段であるＣＰＵ（１）が色補正処理に必要なテーブルデータやパラメータを計算し、パラメータ・レジスタ（１４）を通じて色補正処理部（１５）にテーブルやパラメータを設定する。
　【００４２】
　画像記録装置の全体構成例２
　次にラインバッファを用いた場合の全体構成例について図２及び図３を参照して説明する。ここでは、ラインバッファを用いた画像データのやりとりについてのみ説明し、その他は先の全体構成例１と同様なので省略する。
　【００４３】
　図２が装置の全体構成図であり、画像データの入力、色補正処理、記録を同時に行うシーケンスを図３に示す。
　【００４４】
　以下、図２、図３を用いて説明する。図３における最初の状態Ａでは、マルチプレクサ（２３，２４，２５，２６）により、ラインバッファ１（１８）、２（１９）が、ＣＰＵ（１５）に、ラインバッファ３（２０）、４（２１）が、色補正処理部（２２）・制御部（２７）に接続されている。このとき、ホストコンピュータからの画像データは、ＣＰＵ（１５）により、ラインバッファ１（１８）に書き込まれる。また、ＣＰＵのＤＭＡ機能により、Ａより以前にラインバッファ２（１９）に書き込まれていた画像データの、読みだしが同時に実行される。
　【００４５】
　１ライン分のデータの書き込みが終了すると、マルチプレクサ（２３，２４，２５，２６）を切り換える（状態Ｂ）。この状態では、ラインバッファ１、２（１８，１９）が演算処理・制御部（２２）、（２７）に、ラインバッファ３、４（２０，２１）がＣＰＵ（１５）に接続される。
　【００４６】
　このとき、色補正処理部（２２）により、ラインバッファ１（１８）のデータに対して、色補正処理を実行する。また同時に、ＣＰＵ（１５）によって、ラインバッファ４（２１）に対してデータの書き込み（入力）、および、ラインバッファ３（２０）からのデータの読みだし（出力）を実行する。
　【００４７】
　１ライン分の処理が終了すると、また、Ａの状態にマルチプレクサ（２３，２４，２５，２６）を切り換え、引き続き入力−処理−出力を実行する。このようにして、図３に示すように、ホストからの画像データ入力と、画像の記録（露光）と、演算処理を、切れ目なく実行することができ、フレームメモリを用いずともある程度高速の画像記録を可能としている。
　【００４８】
　なお、本例では、ラインバッファ４個を用いて構成しているが、同じ機能を、ラインバッファ３個を用いて構成することも可能である。
　【００４９】
　色補正処理部
　次に色補正処理部について説明する。図５に示すように、色補正処理部は、第１色補正ユニット（３７）、第２色補正ユニット（４４）、第３色補正ユニット（４８）から構成される。また第１および第３色補正ユニットに対する調整手段であるＣＰＵ（５２）が第１色補正ユニット（３７）及び第３色補正ユニット（４８）に接続され、調整情報入力手段であるオペレーションパネル（５２）がＣＰＵ（５２）に接続されている。調整情報はＩ／Ｆ部（５４）を通じてホストコンピュータからも入力可能である。
　【００５０】
　第１色補正ユニット（３７）は入力画像信号を入力画像信号に対応した色調整を実施するのに適した領域への規格化色調整を実施し、ホストコンピュータから転送される画像データＲ（３４）、Ｇ（３５）、Ｂ（３６）またはＣ（３４）、Ｍ（３５）、Ｙ（３６）各８ビット、あるいは１画素当たり８ビットのカラーコード画像データ（５５）を色調整、規格化が行なわれたＲ′（３８）、Ｇ′（３９）、Ｂ′（４０）の各８ビットデータに変換する。この領域ではＲ′＝Ｇ′＝Ｂ′のとき無彩色であることが保障されている。
　【００５１】
　第２色補正ユニット（４４）は、第１色補正ユニット（３７）で規格化色調整され画像データＲ′（３８）、Ｇ′（３９）、Ｂ′（４０）を非線型な写像を用いて記録材料の色材の特性にマッチングさせた画像データＲ″（４５）、Ｇ″（４６）、Ｂ″（４７）に変換する。Ｒ″＝Ｇ″＝Ｂ″の時は無彩色である。
　【００５２】
　第３色補正ユニット（４８）は、記録材料等のばらつき等を補償するキャリブレーションを行うもので、第２色補正ユニットの出力Ｒ″（４５）、Ｇ″（４６）、Ｂ″（４７）をＣｏ（４９）、Ｍｏ（５０）、Ｙｏ（５１）のデータに変換する。
　【００５３】
　なお、第２色補正ユニットは、ユーザの選択により、使用、不使用の選択が可能で不使用の場合はバイパス（４１，４２，４３）を通じて第１色補正ユニットの出力Ｒ′（３８）、Ｇ′（３９）、Ｂ′（４０）が第３色補正ユニットに供給される。このバイパスは、ホストコンピュータ内で独自の色補正を施す場合や、第２色補正ユニットが適さない画像データの場合に有効である。
　【００５４】
　第１色補正ユニット
　第１色補正ユニットは入力画像の規格化、色調整、カラーコードの展開を行う。図６に第１色補正ユニットのブロック構成図を示す。さらに図７に入力データ規格化ユニット（５６）の詳細な説明図を示す。
　【００５５】
　入力データ規格化ユニット（５６）ではホストコンピュータから送られた画像データを階調変換テーブルＬＵＴ１−１（６１）、ＬＵＴ１−２（６２）、ＬＵＴ１−３（６３）を通してＲ、Ｇ、Ｂ各８ビットのデータに変換する。ＬＵＴ１−１（６１）、ＬＵＴ１−２（６２）、ＬＵＴ１−３（６３）はユーザーが任意に設定することができる８色独立のテーブルで所定の通信手順に従ってホストコンピュータからＩ／Ｆ部（５４）、ＣＰＵ（５２）を通じて転送されたテーブルが書き込まれる。ユーザーがＬＵＴ１−１（６１）、ＬＵＴ１−２（６２）、ＬＵＴ１−３（６３）の設定を行わなかった場合は自動的にＹ＝１の（入力信号ｉ（ｉ＝０，１，……２５５）に対して出力信号ｉを対応させる）テーブルがセットされる。
　【００５６】
　入力データがネガデータ（Ｃ，Ｍ，Ｙ）場合、ＬＵＴ１−１（６１）、ＬＵＴ１−２（６２）、ＬＵＴ１−３（６３）の内容を２５５から減算した値に書き換えることにより、入力されたネガデータをＬＵＴ１−１（６１）、ＬＵＴ１−２（６２）、ＬＵＴ１−３（６３）を通して、設定された階調を持つポジデータ（Ｒ，Ｇ，Ｂ）に変換することができる。
　【００５７】
　入力データがカラーコード（５５）の場合ＬＵＴ１−１（６１）、ＬＵＴ１−２（６２）、ＬＵＴ１−３（６３）の３色の入力信号として同一の入力データを割り当てることによりＲ，Ｇ，Ｂ各８ビットのデータが得られる。
　【００５８】
　色調整ユニット（５７）では、入力データ規格化ユニットの出力Ｒ１（５８）、Ｇ１（５９）、Ｂ１（６０）に対してマトリックス演算を施すことにより色調整を行う。
　【００５９】
　ここで色調整はＢｒｉｇｈｔｎｅｓｓ，Ｃｏｎｔｒａｓｔ，Ｈｕｅ，Ｃｈｒｏｍａ，Ｒｅｄ，Ｇｒｅｅｎ，Ｂｌｕｅのパラメータから決定される変換マトリックスを用いて演算される。
　【００６０】
　Ｂｒｉｇｈｔｎｅｓｓは画像の明るさを調整するパラメータＣｏｎｔｒａｓｔは画像の階調を調整するパラメータＨｕｅは画像の色バランスを調整するパラメータＣｈｒｏｍａは画像の彩度を調整するパラメータＲｅｄは画像の赤味成分を調整するパラメータＧｒｅｅｎは画像は緑味成分を調整するパラメータＢｌｕｅは画像は青味成分を調整するパラメータ
　【００６１】
　各パラメータの値はオペレーションパネル（５３）から設定される段数に対応して適切な値が設定され、この値に従ってＣＰＵ（５２）がマトリクス演算パラメータを色調整ユニット（５７）に設定する。また、ホストコンピュータからもこれらのパラメータの設定値を変更することができ、Ｉ／Ｆ部（５４）を通じて所定の通信手段によって転送された値がＣＰＵ（５２）により各パラメータの値に上乗せされる。
　【００６２】
　上記色調整は画像データを輝度情報・色成分情報に分離された後に行われる。即ち、画像データＲ，Ｇ，ＢをたとえばＮＴＳＣ規格のＹＩＱ信号に変換した後、Ｂｒｉｇｈｔｎｅｓｓ，Ｃｏｎｔｒａｓｔ，Ｈｕｅ，Ｃｈｒｏｍａ，Ｒｅｄ，Ｇｒｅｅｎ，Ｂｌｕｅのパラメータの値Ｂｒ，Ｃｔ，Ｈ，Ｃｒ，ｒ，ｇ，ｂを用いて次の変換を行う。
　【００６３】
　【数３】
　　明るさ調整　Ｙ′＝Ｙ＋Ｂｒ
　【００６４】
　【数４】
　　階調調整　　Ｙ′＝Ｃｔ・（Ｙ−０．５３）＋０．５３，
　　　　　　　　Ｉ′＝Ｃｔ・Ｉ，
　　　　　　　　Ｑ′＝Ｃｔ・Ｑ
　【００６５】
　【数５】
　　色相調節　　Ｉ′＝ｃｏｓＨ・Ｉ−ｓｉｎＨ・Ｑ
　　　　　　　　Ｑ′＝ｓｉｎＨ・Ｉ＋ｃｏｓＨ・Ｑ
　【００６６】
　【数６】
　　色味調整　　ΔＩ′＝ｒ・ｓｉｎθｒ＋ｇ・ｓｉｎθｇ＋ｂ・ｓｉｎθｂ
　　　　　　　　ΔＱ′＝ｒ・ｃｏｓθｒ＋ｇ・ｃｏｓθｇ＋ｂ・ｃｏｓθｂ
　【００６７】
　【数７】
　　彩度調整　　Ｉ′＝Ｃｒ・Ｉ，　Ｑ′＝Ｃｒ・Ｑ
　【００６８】
　ここでθｒ，θｇ，θｂは図８に示されるＩＱ平面上でのＲ，Ｇ，Ｂの色の方向を表す。
　【００６９】
　以上の変換をまとめると、画像データＲ，Ｇ，ＢとＹＩＱの関係から
　【００７０】
　【数８】
　【００７１】
　【数９】
　【００７２】
　となり、この式を用いて規格化された入力データＲ１（５８）、Ｇ１（５９）、Ｂ１（６０）各８ビットのデータを色調整が施されたＲ′（３８）、Ｇ′（３９）、Ｂ′（４０）各８ビットのデータに変換する。
　【００７３】
　このように、第１補正ユニット（３７）では容易に多種に渡たる色調整ができ、また調整の基準となるＲ、Ｇ、Ｂの色相は、画像記録材料の色相とは独立に設定されているので、たとえばカラーＣＲＴモニターと同一色相に設定することにより、人間の感覚に合ったわかりやすい色調整が実施できる。
　【００７４】
　なお、彩度調整にて数１０式のパラメータをａ００＝ａ１０＝ａ２０、ａ０１＝ａ１１＝ａ２１、ａ０２＝ａ１２＝ａ２２となるよう設定すれば、無彩色画像を記録することができる。
　【００７５】
　また、第１補正ユニットのハードウェア構成は、図９に示すように入力規格化ユニットのルックアップテーブル（６１，６２，６３）と線型マトリクス演算（５７）を合わせて、９つのルックアップテーブル（６４〜７２）と３つの加算回路（７３，７４，７５）で構成できる。
　【００７６】
　第２色補正ユニット（４４）を使用しないというモードが選択されている場合、次のようにして丸め誤差を減少させることができる。
　【００７７】
　変換されたＲデータの最大値、最小値をＲｍａｘ、Ｒｍｉｎとする。この時Ｒの変動幅はＲｍａｘ−Ｒｍｉｎであり、これが２５５より小さい場合、演算結果を８ビットに整数化した時に２５６階調を保持することができない。そこで計算されたＲに対しさらに数１０式による変換を施し、常に変換されたデータが２５６階調を保持できるようにする。後で説明する第３色補正ユニット（４８）では、この時のパラメータＲｍａｘ、Ｒｍｉｎを使ってＲ′に対して１対１対応となるような８ビット入力１０ビット出力のＬＵＴを計算し、０〜２５５に正規化されたＲを正しい値に戻している。Ｇ、Ｂについても同様の操作を行う。
　【００７８】
　【数１０】
　【００７９】
　第２色補正ユニット
　第２色補正ユニット（４４）はたとえばカラーＣＲＴ画面とプリントされた画面が階調・色再現的に同じ印象を与えるように、Ｒ′、Ｇ′、Ｂ′（３８）（３９）（４０）の入力信号の組み合わせを３次元ＬＵＴを用いてＲ″、Ｇ″、Ｂ″（４５）（４６）（４７）の出力信号の組み合わせに非線形に写像する。まず、写像の原理的な説明をする。
　【００８０】
　与えられた入力画像データＲ、Ｇ、ＢがＣＲＴ上に映し出された時、観察者の目に入るＸＹＺ三刺激値は数１１式となる。
　【００８１】
　【数１１】
　【００８２】
　（上式で観察、光源（蛍光灯等の照明光）のＣＲＴ管面上での反射成分（Ｘｏ，Ｙｏ，Ｚｏ）を加算することにより、さらに正確な三刺激値を得ることができる。）
　【００８３】
　いま、ＣＲＴ上のＸＹＺ三刺激値を（Ｘｃ，Ｙｃ，Ｚｃ）プリントされた色の観察光源下でのＸＹＺ三刺激値を（Ｘｐ，Ｙｐ，Ｚｐ）とする。
　【００８４】
　（Ｘｃ，Ｙｃ，Ｚｃ）をそのまま（Ｘｐ，Ｙｐ，Ｚｐ）に対応させても両者の与える印象は異なるが、色順応を考慮し、ＲＧＢ基本三刺激値にて白色を一致させるように変換してやると両者の与える印象は非常に良く一致する。
　【００８５】
　実際にはＸＹＺ三刺激値をＣＲＴ蛍光体の色度から求めたマトリクス、あるいは一般的に良く知られている変換マトリクス（例えばＪｏｄｄ，Ｐｉｔｔらが求めたマトリクス等）を用いてＲＧＢ基本三刺激値に変換した後
　【００８６】
　【数１２】
　【００８７】
　によりＣＲＴ上ＲＧＢ基本三刺激値を変換し、プリントのＲＧＢ基本三刺激値に対応させる。この時、白色を一致させるようにするだけでなく黒も一致させるように
　【００８８】
　【数１３】
　【００８９】
　と変換することによりさらに効果を高めることができる。
　【００９０】
　このようにして対応させたプリント上のＲＧＢ基本三刺激値を前記ＸＹＺ三刺激値からＲＧＢ基本三刺激値に変換する際に用いたマトリクスの逆行列を使ってプリント上のＸＹＺ三刺激値を得ることができる。
　【００９１】
　プリント上の所望のＸＹＺ三刺激値を得るには、あらかじめＣ、Ｍ、Ｙ単層濃度と、その時の重層のＸＹＺ三刺激値を実測、あるいは計算により求め、作成したテーブルを参照して得られるＣＭＹ単層濃度を出力してやれば良い。
　【００９２】
　上記アルゴリズムにおいては対応づけられたプリント上の色がプリンターの色再現域外の場合には色再現域の圧縮を行う必要があり、以降、圧縮方法について２つの方法を示す。
　【００９３】
　まず、均等色空間での圧縮方法について説明する。ここでは均等色空間としてＬ＊ａ＊ｂ＊空間を用いるが他の色空間を用いてもさしつかえない。
　【００９４】
　第１ステップとして再現域外の色を再現域表面に落とし込む。この時色味を変化させないという条件と、圧縮前後の色差が最小となる点に落とし込むという条件をつける。色味については、均等空間内においてもゆがんだ部分があり、単純にＬ＊軸に垂直な面における角度で表すことはできない。そこで感覚的に同じ色味と思われるもの、例えばマンセル色表等をａ＊ｂ＊平面にプロットして得られる軌跡を関数で曲線近似する。近似する関数は３次程度で十分な精度が得られ、数十の色味について近似曲線を求める。他の色味についての軌跡は左右の曲線から補間して求めれば良い。このようにして求めた軌跡に従い注目する色を移動させることにより、色味を変化させることなく圧縮を行うことができる。
　【００９５】
　第２ステップでは、第１ステップで再現域外の色を再現域表面に落としこんだことによる色のつぶれを解消する。再現域表面上のある１点に注目すると、そこには本来そこにあるべき色と圧縮によりその点に対応づけられた複数の色が存在する。この状態をもともとの再現域に力が加わり変形さた状態であるとみなし、隣接する色どうしが互いに応力を持ち、かつ適当な重み関数で応力の伝達が減衰すると仮定し、平衡状態を計算することにより再現域表面に落とし込まれた色、及び周辺の色の移動点を求めることができる。
　【００９６】
　このようにして、色味の変化、色のつぶれを生じることなく色再現域の圧縮を行うことができる。
　【００９７】
　次にもう一つの圧縮方法としてＲＧＢ基本三刺激値での圧縮について説明する。前記ＲＧＢ基本三刺激値におけるＣＲＴ上の色とプリント上の色の対応式
　【００９８】
　【数１４】
　【００９９】
　において、計算された値Ｒ′、Ｇ′、Ｂ′がプリンタの色再現域外の場合、上式のプリンタ上の白色（Ｒｐｗ、Ｇｐｗ、Ｂｐｗ）を実際よりも暗い白色（Ｒｐｗ′、Ｇｐｗ′、Ｂｐｗ′）、但し、
　【０１００】
　【数１５】
　【０１０１】
　に設定し直すことにより新たに対応づけられる色Ｒ″、Ｇ″、Ｂ″を求め、この色が再現域表面上の色となるよう設定する白色の値を調整する。このようにして再現域外の色を再現域表面の色に対応させた後、第１の圧縮方法の第２ステップの手法により、ＲＧＢ基本三刺激値にて、色再現域の歪みを計算し、各色の対応点を求める。以上のようにして第２の圧縮方法を用いた場合、色順応が考慮されているため感覚的に色味の変化がなく、色のつぶれを生じることのない色再現域の圧縮を行うことができる。以上のアルゴリズムを用いると、画像データ（Ｒ、Ｇ、Ｂ）の組み合わせに対応する（Ｒ′、Ｇ′、Ｂ′）の組み合わせの３次元ＬＵＴが作成できる。（▲３▼キャリブレーションユニットで説明したように変換されたＲ′、Ｇ′、Ｂ′が所望の濃度でプリントされるように▲６▼画像データの規格化ＬＵＴにてＣＭＹへの変換がなされる）
　【０１０２】
　このようにして求めたテーブルは、メモリ容量を膨大に必要とするため実際には入力画像データＲ、Ｇ、Ｂの空間を間引いて、格子空間を生成し、格子点上のデータに対応する出力データＲ、Ｇ、Ｂの組み合わせを３次元ＬＵＴとしてメモリに持ち、他のデータについては格子点上のデータから補間して求める。
　【０１０３】
　格子として、入力データの上位ｍビット（ｍ＜８）に対応するような値をとると、格子数は２ｍ＋１となるが、メモリ容量、補間演算等の関係から格子数は２ｍの方が都合が良い。そこで入力データを０〜２５６−２（８−ｍ）に圧縮することにより、上位ｍビットに対応する格子数を２ｍ本とする。
　【０１０４】
　例えば、上位５ビットから３２本の格子を生成するためには、０〜２５５の入力データを０〜２４８に圧縮すれば良い。この圧縮はＲ、Ｇ、Ｂ３色同一のＬＵＴにて行い、モニターの発光輝度はデータが小さいところであまり変化のないことから、例えば図１０のような対応をとることによりプリントに影響のないレベルで圧縮を行うことができる。実際には、この圧縮は第１色補正ユニット（３７）内で行う。
　【０１０５】
　次に３次元ＬＵＴを用いた演算方法について説明する簡単のため、まず１次元の場合を考える。入力データｄに対し近傍の格子ｉ，ｉ＋１のデータｄ′ｉ，ｄ′ｉ＋１をテーブルから読み出す。求める出力データｄ′は図１に示すように直線補間により
　【０１０６】
　【数１６】
　【０１０７】
　となり、これをＲ、Ｇ、Ｂ３次元に拡張すると入力データ（Ｒ、Ｇ、Ｂ）に対し８個の格子点（Ｒｉ，Ｇｊ，Ｂｋ）、（Ｒｉ＋１，Ｇｊ，Ｂｋ）、（Ｒｉ、Ｇｊ＋１，Ｂｋ）、（Ｒｉ＋１，Ｇｊ＋１，Ｂｋ＋１）、（Ｒｉ，Ｇｊ，Ｂｋ＋１）、（Ｒｉ＋１，Ｇｊ，Ｂｋ＋１）、（Ｒｉ，Ｇｊ＋１，Ｂｋ＋１）、（Ｒｉ＋１，Ｇｊ＋１，Ｂｋ＋１）上のデータから
　【０１０８】
　【数１７】
　【０１０９】
　なる重みをそれぞれ出力データに乗じた値の和が求める出力データとなる。ここでそれぞれ重みは、各軸における格子間隔が全て２（８−ｍ）間隔であることからＲ、Ｇ、Ｂ入力データの上位８−ｍビットの組み合わせで一意に決まる値であるためあらかじめ全ての組み合わせについて重みを計算し、メモリに蓄えることによりテーブル参照するだけで、毎回計算を行う必要はない。従って、入力データ（Ｒ，Ｇ，Ｂ）に対する演算は上位ｍビットの組み合わせでテーブルから読み出される８点の出力データ（Ｒｉ，Ｇｉ，Ｂｉ）（ｉ＝０……，７）と、下位８−ｍビットの組み合わせでテーブルから読み出される各格子点の重みＷｉ（ｉ＝０……，７）から数１８式に示す積和演算により求めることができる。
　【０１１０】
　【数１８】
　【０１１１】
　第３色補正ユニット
　第３色補正ユニット（４８）では、入力画像信号に対応した色調整に適した領域からキャリブレーションを実施するのに適した領域への規格化機能とキャリブレーション機能と記録材料の色材の特性をグレー再現性について補償する機能が与えられている。
　【０１１２】
　以下、図１２を用いて詳細に説明する。第３色補正ユニット（４８）は、それぞれ各色独立のＬＵＴで構成される中間画像データ規格化ＬＵＴ（７３）、グレーバランスＬＵＴ（７４）、出力特性の補正ＬＵＴ（７５）で構成されている。最終的には、これら３種のＬＵＴはカスケードされて１組のＬＵＴとして得られる。
　【０１１３】
　中間画像データ規格化ＬＵＴ（７３）は、第１補正ユニット（３７）または第２補正ユニット（４４）の出力画像信号をキャリブレーションを実施するのに適した領域のＣ１（７６）、Ｍ１（７７）、Ｙ１（７８）各１０ビットのデータに規格化する。
　【０１１４】
　この中間画像データ規格化ＬＵＴ（７３）は、あらかじめ複数種用意され、ユーザはオペレーションパネル（５３）またはホストコンピュータからの任意のＬＵＴを選択することができる。この複数種のうち第１のＬＵＴは第２色補正ユニットを使用した時に自動的に選択されるものであり、先に述べたように、カラーＣＲＴモニタ表示画像データに適している。
　【０１１５】
　また他のＬＵＴはホストコンピュータが様々な種類の画像データを扱う時に使用されるもので第２色補正ユニット（４４）をバイパスして使用される。たとえば、入力画像データが濃度データである場合に適したＬＵＴが用意されている。この場合入力されるデータは、＜第１色補正ユニット＞の項で説明したように、０〜２５５に規格されているため例えばＲ信号については（Ｒｍａｘ−Ｒｍｉｎ）／２５５を乗じＲ′ｍｉｎを加えることで正しい値に戻し、１０ビットへの拡張を行うようにする。Ｇ，Ｂについても同様の操作を行う。
　【０１１６】
　グレーバランスＬＵＴ（７４）は色材の特性を吸収するための固定ＬＵＴであり中間画像データの規格化ＬＵＴ（７３）により変換されたＣ１，Ｍ１，Ｙ１（７６）（７７）（７８）信号がＣ１＝Ｍ１＝Ｙ１の時に記録される色がグレーとなるようにＣ１，Ｍ１，Ｙ１信号を独立に変換する。
　【０１１７】
　出力特性の補正ＬＵＴ（７５）は主に装置の変動、使用する記録材料のバラツキを補償するためのＬＵＴであり、グレーバランスＬＵＴ（７４）の出力Ｃ２，Ｍ２，Ｙ２（７９）（８０）（８１）各１０ビットの信号に対し、所望の濃度が得られるような１２ビットの記録制御信号Ｃｏ（４９）、Ｍｏ（５０）、Ｙｏ（５１）に変換する。ここで用いる補正カーブはたとえば特開平１−２０６２３６、特開平１−２０６２３７等に示される所定のキャリブレーション手段により得られるパラメーターから計算される。このパラメータはＥＰＲＯＭに保持され、装置の電源が切られても失われることはない。補正カーブは電源投入時及び、パラメータに変更があった時のみ計算され、結果はＲＡＭ上に保存される。
　【０１１８】
　【発明の効果】
　以上の説明の通り、本画像記録装置において、入力画像信号と記録材料の、例えば色再現範囲など色再現特性が異なる場合、第１色補正手段の各色独立のルックアップテーブルと線形マトリクスへの色相調整、彩度調整、及び前記ルックアップテーブルの設定を調整入力手段とした入力画像信号の特性を考慮したユーザーが感覚的に理解し易い調整機構を提供するようにし更に第２色補正手段により前記入力画像信号と記録材料の色再現域の非線形関係を色順応効果を考慮した３次元ルックアップテーブルにより感覚的色相を変化させることなく補正及び圧縮行なうことで良好な色再現を実現できるようにしている。加えて第３色補正手段により画像出力装置のバラツキを補正し、入力画像信号に依存しない標準状態の設定が容易に再現できるようにしている。
　【０１１９】
　また前記３次元ルックアップテーブルを上位ｎビットをアドレスとする３次元ルックアップテーブルと各色の下位ｎビットによる補間装置を設けてさらに前の階調数の圧縮を行うテーブルメモリを大幅に削減した安価な構成にするとともに上記３次元ルックアップテーブルを使用した補正処理による出力時間の増大を３つ以上のラインバッファを使用した同時処理により防止するようにしている。
　【０１２０】
　これによれば従来困難であった色再現特性が異なる入力画像信号の補正を高速かつ安価に実現でき自然で良好な色再現を得られる。また感覚的に理解し易い色調整機構によりユーザーが好みの色再現に容易に調整することができる。
　【０１２１】
　本発明はカラーハードコピー等多階調を記録する記録装置及びカラー複写機に適用できる。
【図面の簡単な説明】
　【図１】　フレームメモリを用いた場合の画像記録装置の構成例。
　【図２】　ラインバッファ３を用いた場合の画像記録装置の構成例。
　【図３】　ラインバッファを用いた場合の画像データのタイミングシーケンス。
　【図４】　従来技術の色補正の構成図。
　【図５】　色補正処理部の構成。
　【図６】　第１色補正処理ユニットのブロック図。
　【図７】　第１色補正処理ユニットの入力データ規格化ユニット（３６）の詳細な説明図で（ａ）はＲＧＢ又はＣＭＹ色信号入力の場合、（ｂ）はカラーコード入力の場合。
　【図８】　ＲＧＢ信号とＹＬＱ信号の関係図。
　【図９】　第１色補正ユニットのハードウェア構成例。
　【図１０】　第２色補正ユニットの３次元ＬＵＴのメモリ量を減らすための事前の画像データの圧縮例。
　【図１１】　第２色補正ユニットにおける補間の概念図。
　【図１２】　第３色補正ユニットの詳細説明図。
　【符号の説明】
　３７　第１色補正ユニット
　４４　第２色補正ユニット
　４８　第３色補正ユニット